【手続補正書】
【提出日】平成15年11月18日(2003.11.18)
【手続補正１】
【補正対象書類名】明細書
【補正対象項目名】発明の名称
【補正方法】変更
【補正の内容】
【発明の名称】画像形成装置及びジョブ処理方法
【手続補正２】
【補正対象書類名】明細書
【補正対象項目名】特許請求の範囲
【補正方法】変更
【補正の内容】
【特許請求の範囲】
【請求項１】
画像データを入力し、この画像データに基づいてカットシート上に画像を形成し出力するジョブを実行する画像形成装置であって、
入力された画像データを複数ジョブ分蓄積可能な画像蓄積手段を有して複数のジョブを同時に受け付け可能であるとともに、
ジョブごとの出力優先順位を設定する優先順位設定手段を有し、これにより設定された優先順位に従って複数のジョブの画像出力を順次１ジョブずつ実行する画像形成装置において、
画像を形成したカットシートに対して所定の後処理を行う後処理手段と、
この後処理手段による後処理を行うか否かをジョブごとに設定する後処理設定手段と、
第１のジョブの画像出力の実行中にこのジョブより優先順位の高い第２のジョブの画像出力の要求が発生した場合、少なくとも、前記第１と第２のジョブの一方または両方が前記後処理を行うように設定されたジョブか否かに基づいて、前記第１のジョブの画像出力を中断して前記第２のジョブの画像出力を実行する割り込み処理、または、前記第１のジョブの画像出力を続行してこの画像出力の終了後に前記第２のジョブの画像出力を実行する後回し処理を行うように制御する制御手段を有することを特徴とする画像形成装置。
【請求項２】
前記制御手段は、前記第２のジョブの画像出力の要求が発生した場合であって、この要求の発生以前に、前記第１のジョブの次に画像出力が予定されていて前記第２のジョブより優先順位の低い第３のジョブが存在した場合、前記後回し処理を行うときは、前記第２のジョブの画像出力を前記第３のジョブより前に実行するように制御することを特徴とする請求項１に記載の画像形成装置。
【請求項３】
前記制御手段は、前記第２のジョブの画像出力の要求が発生した場合、前記第１と第２のジョブがいずれも前記後処理を行うように設定されたジョブであれば、前記後回し処理を行うように制御することを特徴とする請求項１または２に記載の画像形成装置。
【請求項４】
前記制御手段は、前記第２のジョブの画像出力の要求が発生した場合、前記第１と第２のジョブがいずれも前記後処理を行わないように設定されたジョブであれば、前記割り込み処理を行うように制御することを特徴とする請求項１または２に記載の画像形成装置。
【請求項５】
前記制御手段は、前記第２のジョブの画像出力の要求が発生した場合、前記第２のジョブが前記後処理を行わないように設定されたジョブであれば、前記第１のジョブが前記後処理を行うように設定されているか否かに関わらず、前記割り込み処理を行うように制御することを特徴とする請求項１または２に記載の画像形成装置。
【請求項６】
前記制御手段は、前記第２のジョブの画像出力の要求が発生した場合、第２のジョブが前記後処理を行うように設定されたジョブであれば、前記第１のジョブが前記後処理を行うように設定されているか否かに関わらず、前記後回し処理を行うように制御することを特徴とする請求項１または２に記載の画像形成装置。
【請求項７】
前記画像を形成したカットシートを排出する排出部に、それぞれ排出されたカットシートを積載する第１と第２の積載手段が設けられ、
前記後処理手段による後処理をカットシートに対して行った場合、前記第１の積載手段上にカットシートが満載でなくてカットシートの排出が可能であれば第１の積載手段、不可能であれば前記第２の積載手段上にカットシートを排出し、前記後処理を行わなかった場合はカットシートを第２の積載手段上に排出するように構成され、
前記制御手段は、前記第２のジョブの画像出力の要求が発生した場合、前記第１と第２のジョブの一方または両方が前記後処理を行うように設定されたジョブか否かとともに、前記第１または第２の積載手段上へのカットシートの排出状態に基づいて、前記割り込み処理または後回し処理を行うように制御することを特徴とする請求項１または２に記載の画像形成装置。
【請求項８】
前記制御手段は、前記第２のジョブの画像出力の要求が発生した場合、前記第２のジョブが前記後処理を行うように設定されたジョブ、前記第１のジョブが前記後処理を行わないように設定されたジョブであって、前記第１の積載手段上にカットシートが満載でなくてカットシートを排出可能であれば、前記割り込み処理、排出不可能であれば前記後回し処理を行うように制御することを特徴とする請求項７に記載の画像形成装置。
【請求項９】
前記制御手段は、前記第２のジョブの画像出力の要求が発生した場合、前記第２のジョブが前記後処理を行わないように設定されたジョブ、前記第１のジョブが前記後処理を行うように設定されたジョブであって、この第１のジョブで画像を形成されたカットシートが前記第１の積載手段上に排出されていれば前記割り込み処理、前記第２の積載手段上に排出されていれば前記後回し処理を行うように制御することを特徴とする請求項７に記載の画像形成装置。
【請求項１０】
前記画像を形成したカットシートを排出する排出部に、それぞれ排出されたカットシートを積載する第１と第２の積載手段が設けられ、
前記後処理手段による後処理をカットシートに対して行った場合は前記第１の積載手段上に、また、前記後処理を行わなかった場合は前記第２の積載手段上にカットシートを排出するように構成されたことを特徴とする請求項１，２，３，５のいずれか１項に記載の画像形成装置。
【請求項１１】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、を有し、
前記第１のプリントジョブが前記後処理手段による後処理を要するプリントジョブの場合で且つ前記第２のプリントジョブも後処理を要するプリントジョブの場合に、前記第１の処理手順を実行させるよう制御し、
前記第１のプリントジョブが前記後処理手段による後処理を不要とするプリントジョブの場合で且つ前記第２のプリントジョブも後処理を不要とするプリントジョブの場合に、又は、前記第１のプリントジョブが後処理を要するプリントジョブの場合で且つ前記第２のプリントジョブは後処理を不要とするプリントジョブの場合に、又は、前記第１のプリントジョブが後処理を不要とするプリントジョブの場合で且つ前記第２のプリントジョブは後処理を要するプリントジョブの場合に、前記第２の処理手順を実行させるよう制御する制御手段を有することを特徴とする画像形成装置。
【請求項１２】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、
プリント済みのプリントジョブのシートを、第１の排紙トレイ及び第２の排紙トレイを含む排紙トレイに選択的に排出する排出手段と、を有し、
前記第２のプリントジョブが後処理を不要とするプリントジョブの場合で且つ前記第１のプリントジョブは後処理を必要とするプリントジョブの場合において、前記第１のプリントジョブのシートの排出先と同じ排紙トレイに対して前記第２のプリントジョブのシートを排出する場合に、前記第１の処理手順を実行させ、
前記第２のプリントジョブが後処理を不要とするプリントジョブの場合で且つ前記第１のプリントジョブは後処理を必要とするプリントジョブの場合において、前記第１のプリントジョブのシートの排出先とは異なる排紙トレイに対して前記第２のプリントジョブのシートを排出する場合に、前記第２の処理手順を実行させる制御手段を有することを特徴とする画像形成装置。
【請求項１３】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、
プリント済みのプリントジョブのシートを、第１の排紙トレイ及び第２の排紙トレイを含む排紙トレイに選択的に排出可能とする排出手段と、を有し、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中ではない場合に、前記第１の処理手順を実行させ、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中の場合に、前記第２の処理手順を実行させる制御手段を有することを特徴とする画像形成装置。
【請求項１４】
請求項１３記載の画像形成装置であって、
前記排出手段は、前記第１のプリントジョブのシートを前記第１の排紙トレイに排出中に前記第１の排紙トレイにてシートの満載が生じた場合に、前記第１のプリントジョブのシートの排紙先を前記第２の排紙トレイに切り替えることで、前記第１のプリントジョブのシートの排出動作を続行可能とし、
前記制御手段は、前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイにおけるシートの満載により前記第１の排紙トレイに排出せずに前記第２の排紙トレイに排出している場合に、前記第１の処理手順を実行させることを特徴とする画像形成装置。
【請求項１５】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、
プリント済みのプリントジョブのシートを、第１の排紙トレイ及び第２の排紙トレイを含む排紙トレイに選択的に排出する排出手段と、を有し、
前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できない場合に、前記第１の処理手順を実行させ、
前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できる場合に、前記第２の処理手順を実行させる制御手段を有することを特徴とする画像形成装置。
【請求項１６】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、
プリント済みのプリントジョブのシートを、第１の排紙トレイ及び第２の排紙トレイを含む排紙トレイに選択的に排出する排出手段と、を有し、
前記第２のプリントジョブが後処理を要するプリントジョブの場合で且つ前記第１のプリントジョブは後処理を不要とするプリントジョブの場合において、前記第２のプリントジョブのシートを前記第１の排紙トレイに排出できない場合に、前記第１の処理手順を実行させ、
前記第２のプリントジョブが後処理を要するプリントジョブの場合で且つ前記第１のプリントジョブは後処理を不要とするプリントジョブの場合において、前記第１の排紙トレイがシートで満載では無く該第１の排紙トレイに前記第２のプリントジョブのシートを排出できる場合に、前記第２の処理手順を実行させる制御手段を有することを特徴とする画像形成装置。
【請求項１７】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、第１のプリントジョブの後にプリント要求がなされた第２のプリントジョブのプリント処理を、前記第１のプリントジョブのプリント終了を待たずに実行可能にする第２の処理手順と、を、選択的に実行させる制御手段と、
前記後処理手段による後処理を行うべきプリント済みのシートを一時的に積載する処理トレイと、
機外に排出されたシートを積載する為の排紙トレイと、を有し、
前記制御手段は、
前記第１のプリントジョブおよび前記第２のプリントジョブのうちの、前記後処理手段による後処理を要するプリントジョブを処理する場合に、そのプリントジョブのプリント済みのシートを前記処理トレイに１枚づつ積載し続け、該処理トレイ上にて一部数分の複数枚のシートの積載が終了したら、該処理トレイ上の該複数枚のシートに対して一束として前記後処理手段による後処理を実行させ、そのうえで、前記処理トレイ上の該複数枚のシートを前記排紙トレイに対して一束毎に排出する、束排出動作を実行させ、
前記第１のプリントジョブおよび前記第２のプリントジョブのうちの、前記後処理手段による後処理を不要とするプリントジョブを処理する場合に、そのプリントジョブのプリント済みのシートを、前記束排出動作を行うことなく、前記排紙トレイに対して一枚毎に排出させることを特徴とする画像形成装置。
【請求項１８】
請求項１７記載の画像形成装置であって、
前記制御手段は、前記第１のプリントジョブおよび前記第２のプリントジョブのうちの、前記後処理手段による後処理を不要とするプリントジョブを処理する場合には、そのプリントジョブのプリント済みのシートを、前記処理トレイを介さずに、前記処理トレイにて前記束排出動作を行うことなく、前記排紙トレイに一枚ずつ排出可能に制御することを特徴とする画像形成装置。
【請求項１９】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、を有し、
前記第１のプリントジョブが前記後処理手段による後処理を要するプリントジョブの場合で且つ前記第２のプリントジョブも後処理を要するプリントジョブの場合に、前記第１の処理手順を実行させ、
前記第１のプリントジョブ及び前記第２のプリントジョブのうちの前記第２のプリントジョブが前記後処理手段による後処理を不要とするプリントジョブの場合に、前記第１のプリントジョブが前記後処理手段による後処理を必要とするプリントジョブであるか否かに関わらず、前記第２の処理手順を実行させる、制御手段を有することを特徴とする画像形成装置。
【請求項２０】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、
プリント済みのプリントジョブのシートを、第１の排紙トレイ及び第２の排紙トレイを含む排紙トレイに選択的に排出可能とする排出手段と、を有し、
前記第１のプリントジョブが前記後処理手段による後処理を要するプリントジョブの場合で且つ前記第２のプリントジョブも後処理を要するプリントジョブの場合に、前記第１の処理手順を実行させ、
前記第１のプリントジョブ及び前記第２のプリントジョブのうちの前記第２のプリントジョブが前記後処理手段による後処理を不要とするプリントジョブの場合に、前記第１の排紙トレイのシートの積載状態に関わらず、前記第２の処理手順を実行させる、制御手段を有することを特徴とする画像形成装置。
【請求項２１】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置であって、
第１のプリントジョブの後にプリント要求がなされた第２のプリントジョブのプリント処理を、前記第１のプリントジョブのプリント終了後に実行可能にする第１の処理手順と、第１のプリントジョブの後にプリント要求がなされた第２のプリントジョブのプリント処理を、前記第１のプリントジョブのプリント終了を待たずに実行可能にする第２の処理手順と、を、選択的に実行させる制御手段と、
プリント済みのプリントジョブのシートを、第１の排紙トレイ及び第２の排紙トレイを含む排紙トレイに選択的に排出可能とする排出手段と、を有し、
前記制御手段は、
前記第１のプリントジョブおよび前記第２のプリントジョブのうちの、前記後処理手段による後処理を要するプリントジョブを処理する場合に、そのプリントジョブのプリント済みのシートを、前記第１の排紙トレイ及び前記第２の排紙トレイのうちの前記第１の排紙トレイに排出可能に制御し、
前記第１のプリントジョブおよび前記第２のプリントジョブのうちの、前記後処理手段による後処理を不要とするプリントジョブを処理する場合に、そのプリントジョブのプリント済みのシートを、前記第１の排紙トレイ及び前記第２の排紙トレイのうちの前記第２の排紙トレイに排出可能に制御することを特徴とする画像形成装置。
【請求項２２】
請求項１１乃至１８の何れかに記載の画像形成装置であって、
前記画像形成装置は、機外に排出されたプリント済みのシートを積載する、シートの排出口に移動可能な、移動式の排紙トレイを具備することを特徴とする画像形成装置。
【請求項２３】
請求項１９乃至２１の何れかに記載の画像形成装置であって、
前記画像形成装置は、機外に排出されたプリント済みのシートを積載する、シートの排出口に移動不可能な、固定式の排紙トレイを具備することを特徴とする画像形成装置。
【請求項２４】
請求項１１乃至２３の何れかに記載の画像形成装置であって、
前記画像形成装置は、スキャナ手段を介して入力されるプリントジョブ、及び、ファクシミリ通信及びクライアントコンピュータとのデータ通信の少なくとも何れかを実行可能な外部Ｉ／Ｆ処理手段を介して入力されるプリントジョブを受け付け可能とすることを特徴とする画像形成装置。
【請求項２５】
請求項１１乃至２４の何れかに記載の画像形成装置であって、
前記画像形成装置は、コピー機能及びファクシミリ機能及びプリンタ機能の少なくとも何れかを含む複数の機能の各機能でのプリントジョブを受付可能とすることを特徴とする画像形成装置。
【請求項２６】
請求項１１乃至２５の何れかに記載の画像形成装置であって、
前記後処理手段は、前記ステープル処理の他にも後処理としてソート処理を実行可能とすることを特徴とする画像形成装置。
【請求項２７】
請求項１１乃至２６の何れかに記載の画像形成装置であって、
前記画像形成装置は、ハードディスクを含む記憶手段を用いて複数のプリントジョブを受付可能とすることを特徴とする画像形成装置。
【請求項２８】
請求項１１乃至２７の何れかに記載の画像形成装置であって、
前記第１の処理手順を実行させる場合、前記制御手段は、プリントジョブの待ち行列を管理する管理手段を用いて、前記第２のプリントジョブの実行順序を前記第１のプリントジョブの後となるよう管理データとして前記管理手段に登録し、少なくとも前記第１のプリントジョブの出力終了まで該管理データと共に前記第２のプリントジョブの画像データを保持可能に制御することを特徴とする画像形成装置。
【請求項２９】
請求項１１乃至２８の何れかに記載の画像形成装置であって、
前記第２の処理手順を実行させる場合、前記制御手段は、プリント実行中の第１のプリントジョブのプリント動作を中断し、前記第２のプリントジョブのプリント処理を前記第１のプリントジョブのプリント処理に割り込んで優先的に実行させ、前記第２のプリントジョブのプリント実行後に、再度前記第１のプリントジョブのプリント処理を実行可能に制御することを特徴とする画像形成装置。
【請求項３０】
請求項１１乃至２９の何れかに記載の画像形成装置であって、
前記画像形成装置にて受付可能な複数のプリントジョブの為の優先順位を設定可能とし、
前記制御手段は、
複数のプリントジョブを該優先順位に従って処理可能とし、
前記第１の処理手順および前記第２の処理手順のうちの前記第２の処理手順を、前記第２のプリントジョブの為の優先順位の方が前記第１のプリントジョブの為の優先順位よりも高い場合において選択的に実行可能に制御し、
前記第２のプリントジョブの為の優先順位の方が前記第１のプリントジョブの為の優先順位よりも低い場合にて、前記第２の処理手順は実行せずに前記第１の処理手順を実行可能に制御することを特徴とする画像形成装置。
【請求項３１】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第１のプリントジョブが前記後処理手段による後処理を要するプリントジョブの場合で且つ前記第２のプリントジョブも後処理を要するプリントジョブの場合に、実行可能にし、
前記第１のプリントジョブが前記後処理手段による後処理を不要とするプリントジョブの場合で且つ前記第２のプリントジョブも後処理を不要とするプリントジョブの場合に、又は、前記第１のプリントジョブが後処理を要するプリントジョブの場合で且つ前記第２のプリントジョブは後処理を不要とするプリントジョブの場合に、又は、前記第１のプリントジョブが後処理を不要とするプリントジョブの場合で且つ前記第２のプリントジョブは後処理を要するプリントジョブの場合に、前記第２の処理手順を実行可能にすることを特徴とするジョブ処理方法。
【請求項３２】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを第１の排紙トレイ及び第２の排紙トレイを含む排紙トレイに選択的に排出する排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第２のプリントジョブが後処理を不要とするプリントジョブの場合で且つ前記第１のプリントジョブは後処理を必要とするプリントジョブの場合において、前記第１のプリントジョブのシートの排出先と同じ排紙トレイに対して前記第２のプリントジョブのシートを排出する場合に、実行可能にし、
前記第２のプリントジョブが後処理を不要とするプリントジョブの場合で且つ前記第１のプリントジョブは後処理を必要とするプリントジョブの場合において、前記第１のプリントジョブのシートの排出先とは異なる排紙トレイに対して前記第２のプリントジョブのシートを排出する場合に、前記第２の処理手順を実行可能にすることを特徴とするジョブ処理方法。
【請求項３３】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを第１の排紙トレイ及び第２の排紙トレイを含む排紙トレイに選択的に排出可能とする排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中ではない場合に、実行可能にし、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中の場合に、前記第２の処理手順を実行可能にすることを特徴とするジョブ処理方法。
【請求項３４】
請求項３３記載のジョブ処理方法であって、
前記排出手段は、前記第１のプリントジョブのシートを前記第１の排紙トレイに排出中に前記第１の排紙トレイにてシートの満載が生じた場合に、前記第１のプリントジョブのシートの排紙先を前記第２の排紙トレイに切り替えることで、前記第１のプリントジョブのシートの排出動作を続行可能とし、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイにおけるシートの満載により前記第１の排紙トレイに排出せずに前記第２の排紙トレイに排出している場合に、前記第１の処理手順を実行可能にすることを特徴とするジョブ処理方法。
【請求項３５】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを第１の排紙トレイ及び第２の排紙トレイを含む排紙トレイに選択的に排出する排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できない場合に、実行可能にし、
前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できる場合に、前記第２の処理手順を実行可能にすることを特徴とするジョブ処理方法。
【請求項３６】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを、第１の排紙トレイ及び第２の排紙トレイを含む排紙トレイに選択的に排出する排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第２のプリントジョブが後処理を要するプリントジョブの場合で且つ前記第１のプリントジョブは後処理を不要とするプリントジョブの場合において、前記第２のプリントジョブのシートを前記第１の排紙トレイに排出できない場合に、実行可能にし、
前記第２のプリントジョブが後処理を要するプリントジョブの場合で且つ前記第１のプリントジョブは後処理を不要とするプリントジョブの場合において、前記第１の排紙トレイがシートで満載では無く該第１の排紙トレイに前記第２のプリントジョブのシートを排出できる場合に、前記第２の処理手順を実行可能にすることを特徴とするジョブ処理方法。
【請求項３７】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、前記後処理手段による後処理を行うべきプリント済みのシートを一時的に積載する処理トレイと、機外に排出されたシートを積載する為の排紙トレイと、を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順と、を、選択的に実行可能にし、
前記第１のプリントジョブおよび前記第２のプリントジョブのうちの、前記後処理手段による後処理を要するプリントジョブを処理する場合に、そのプリントジョブのプリント済みのシートを前記処理トレイに１枚づつ積載し続け、該処理トレイ上にて一部数分の複数枚のシートの積載が終了したら、該処理トレイ上の該複数枚のシートに対して一束として前記後処理手段による後処理を実行させ、そのうえで、前記処理トレイ上の該複数枚のシートを前記排紙トレイに対して一束毎に排出する、束排出動作を実行可能にし、
前記第１のプリントジョブおよび前記第２のプリントジョブのうちの、前記後処理手段による後処理を不要とするプリントジョブを処理する場合に、そのプリントジョブのプリント済みのシートを、前記束排出動作を行うことなく、前記排紙トレイに対して一枚毎に排出可能にすることを特徴とするジョブ処理方法。
【請求項３８】
請求項３７記載のジョブ処理方法であって、
前記第１のプリントジョブおよび前記第２のプリントジョブのうちの、前記後処理手段による後処理を不要とするプリントジョブを処理する場合には、そのプリントジョブのプリント済みのシートを、前記処理トレイを介さずに、前記処理トレイにて前記束排出動作を行うことなく、前記排紙トレイに一枚ずつ排出可能にすることを特徴とするジョブ処理方法。
【請求項３９】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第１のプリントジョブが前記後処理手段による後処理を要するプリントジョブの場合で且つ前記第２のプリントジョブも後処理を要するプリントジョブの場合に、実行可能にし、
前記第１のプリントジョブ及び前記第２のプリントジョブのうちの前記第２のプリントジョブが前記後処理手段による後処理を不要とするプリントジョブの場合に、前記第１のプリントジョブが前記後処理手段による後処理を必要とするプリントジョブであるか否かに関わらず、前記第２の処理手順を実行可能にすることを特徴とするジョブ処理方法。
【請求項４０】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを第１の排紙トレイ及び第２の排紙トレイを含む排紙トレイに選択的に排出可能とする排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順、のうちの前記第１の処理手順を、前記第１のプリントジョブが前記後処理手段による後処理を要するプリントジョブの場合で且つ前記第２のプリントジョブも後処理を要するプリントジョブの場合に、実行可能にし、
前記第１のプリントジョブ及び前記第２のプリントジョブのうちの前記第２のプリントジョブが前記後処理手段による後処理を不要とするプリントジョブの場合に、前記第１の排紙トレイのシートの積載状態に関わらず、前記第２の処理手順を実行可能にすることを特徴とするジョブ処理方法。
【請求項４１】
複数のプリントジョブを受け付け可能とし、且つ、ステープル処理等の後処理を実行可能な後処理手段による後処理を要するプリントジョブ及び前記後処理手段による後処理を不要とするプリントジョブを処理可能で、プリント済みのプリントジョブのシートを第１の排紙トレイ及び第２の排紙トレイを含む排紙トレイに選択的に排出可能とする排出手段を有する、画像形成装置に好適なジョブ処理方法であって、
第１のプリントジョブの後にプリント要求がなされた第２のプリントジョブのプリント処理を前記第１のプリントジョブのプリント終了後に実行させる第１の処理手順と、第１のプリントジョブの後にプリント要求がなされた第２のプリントジョブのプリント処理を前記第１のプリントジョブのプリント終了を待たずに実行させる第２の処理手順と、を選択的に実行可能にし、
前記第１のプリントジョブおよび前記第２のプリントジョブのうちの、前記後処理手段による後処理を要するプリントジョブを処理する場合に、そのプリントジョブのプリント済みのシートを、前記第１の排紙トレイ及び前記第２の排紙トレイのうちの前記第１の排紙トレイに排出可能にし、
前記第１のプリントジョブおよび前記第２のプリントジョブのうちの、前記後処理手段による後処理を不要とするプリントジョブを処理する場合に、そのプリントジョブのプリント済みのシートを、前記第１の排紙トレイ及び前記第２の排紙トレイのうちの前記第２の排紙トレイに排出可能にすることを特徴とするジョブ処理方法。
【請求項４２】
請求項３１乃至３８の何れかに記載のジョブ処理方法であって、
前記画像形成装置は、機外に排出されたプリント済みのシートを積載する、シートの排出口に移動可能な、移動式の排紙トレイを具備することを特徴とするジョブ処理方法。
【請求項４３】
請求項３９乃至４１の何れかに記載のジョブ処理方法であって、
前記画像形成装置は、機外に排出されたプリント済みのシートを積載する、シートの排出口に移動不可能な、固定式の排紙トレイを具備することを特徴とするジョブ処理方法。
【請求項４４】
請求項３１乃至４３の何れかに記載のジョブ処理方法であって、
前記画像形成装置は、スキャナ手段を介して入力されるプリントジョブ、及び、ファクシミリ通信及びクライアントコンピュータとのデータ通信の少なくとも何れかを実行可能な外部Ｉ／Ｆ処理手段を介して入力されるプリントジョブを受け付け可能とすることを特徴とするジョブ処理方法。
【請求項４５】
請求項３１乃至４４の何れかに記載のジョブ処理方法であって、
前記画像形成装置は、コピー機能及びファクシミリ機能及びプリンタ機能の少なくとも何れかを含む複数の機能の各機能でのプリントジョブを受付可能とすることを特徴とするジョブ処理方法。
【請求項４６】
請求項３１乃至４５の何れかに記載のジョブ処理方法であって、
前記後処理手段は、前記ステープル処理の他にも後処理としてソート処理を実行可能とすることを特徴とするジョブ処理方法。
【請求項４７】
請求項３１乃至４６の何れかに記載のジョブ処理方法であって、
前記画像形成装置は、ハードディスクを含む記憶手段を用いて複数のプリントジョブを受付可能とすることを特徴とするジョブ処理方法。
【請求項４８】
請求項３１乃至４７の何れかに記載のジョブ処理方法であって、
前記第１の処理手順を実行させる場合に、プリントジョブの待ち行列を管理する管理手段を用いて、前記第２のプリントジョブの実行順序を前記第１のプリントジョブの後となるよう管理データとして前記管理手段に登録し、少なくとも前記第１のプリントジョブの出力終了まで該管理データと共に前記第２のプリントジョブの画像データを保持可能にすることを特徴とするジョブ処理方法。
【請求項４９】
請求項３１乃至４８の何れかに記載のジョブ処理方法であって、
前記第２の処理手順を実行させる場合に、プリント実行中の第１のプリントジョブのプリント動作を中断し、前記第２のプリントジョブのプリント処理を前記第１のプリントジョブのプリント処理に割り込んで優先的に実行させ、前記第２のプリントジョブのプリント実行後に、再度前記第１のプリントジョブのプリント処理を実行可能にすることを特徴とするジョブ処理方法。
【請求項５０】
請求項３１乃至４９の何れかに記載のジョブ処理方法であって、
前記画像形成装置にて受付可能な複数のプリントジョブの為の優先順位を設定可能とし、
複数のプリントジョブを該優先順位に従って処理可能とし、
前記第１の処理手順および前記第２の処理手順のうちの前記第２の処理手順を、前記第２のプリントジョブの為の優先順位の方が前記第１のプリントジョブの為の優先順位よりも高い場合において選択的に実行可能にし、
前記第２のプリントジョブの為の優先順位の方が前記第１のプリントジョブの為の優先順位よりも低い場合にて、前記第２の処理手順は実行せずに前記第１の処理手順を実行可能にすることを特徴とするジョブ処理方法。
【手続補正３】
【補正対象書類名】明細書
【補正対象項目名】０００１
【補正方法】変更
【補正の内容】
【０００１】
【発明の属する技術分野】
本発明は、例えばコピージョブを含むプリントジョブなど、画像データを入力し、この画像データに基づいてカットシート上に画像を形成し出力するジョブを実行する画像形成装置、特に、入力された画像データを複数ジョブ分蓄積可能な画像蓄積手段を有して複数のジョブを同時に受け付け可能な画像形成装置及びこれに好適なジョブ処理方法に関するものである。


【手続補正４】
【補正対象書類名】明細書
【補正対象項目名】０００７
【補正方法】変更
【補正の内容】
【０００７】
そこで本発明の課題は、この種の画像形成装置及びこれに好適なジョブ処理方法において、第１のジョブの画像出力の実行中にこのジョブより優先順位の高い第２のジョブの画像出力の要求が発生した場合、ステープル等の後処理に支障のないときに限り第２のジョブの画像出力を割り込みで実行するようにジョブ管理を行うことができる構成、及び上述した第１と第２のジョブの出力束の重なり、紛れ込みをできるだけ避けることのできる構成を提供することにある。


【手続補正５】
【補正対象書類名】明細書
【補正対象項目名】００１１
【補正方法】変更
【補正の内容】
【００１１】
このような構成によれば、制御手段の制御により、前述した積載手段上での第１と第２のジョブの出力束の重なり、紛れ込みをできるだけ避けることができる。
また、本発明では、複数のプリントジョブを受け付け可能とし、且つ、ステープル処理等の後処理を実行可能な後処理手段による後処理を要するプリントジョブ及び前記後処理手段による後処理を不要とするプリントジョブを処理可能な画像形成装置において、
第１のプリントジョブの後にプリント要求がなされた第２のプリントジョブのプリント処理を、前記第１のプリントジョブのプリント終了後に実行可能にする第１の処理手順と、
第１のプリントジョブの後にプリント要求がなされた第２のプリントジョブのプリント処理を、前記第１のプリントジョブのプリント終了を待たずに実行可能にする第２の処理手順と、を有し、
前記第１のプリントジョブが前記後処理手段による後処理を要するプリントジョブの場合で且つ前記第２のプリントジョブも後処理を要するプリントジョブの場合に、前記第１の処理手順を実行させるよう制御し、
前記第１のプリントジョブが前記後処理手段による後処理を不要とするプリントジョブの場合で且つ前記第２のプリントジョブも後処理を不要とするプリントジョブの場合に、又は、前記第１のプリントジョブが後処理を要するプリントジョブの場合で且つ前記第２のプリントジョブは後処理を不要とするプリントジョブの場合に、又は、前記第１のプリントジョブが後処理を不要とするプリントジョブの場合で且つ前記第２のプリントジョブは後処理を要するプリントジョブの場合に、前記第２の処理手順を実行させるよう制御する制御手段を有する構成を採用した。
また、前記第１の処理手順と、
前記第２の処理手順と、
プリント済みのプリントジョブのシートを、第１の排紙トレイ及び第２の排紙トレイを含む排紙トレイに選択的に排出する排出手段と、を有し、
前記第２のプリントジョブが後処理を不要とするプリントジョブの場合で且つ前記第１のプリントジョブは後処理を必要とするプリントジョブの場合において、前記第１のプリントジョブのシートの排出先と同じ排紙トレイに対して前記第２のプリントジョブのシートを排出する場合に、前記第１の処理手順を実行させ、
前記第２のプリントジョブが後処理を不要とするプリントジョブの場合で且つ前記第１のプリントジョブは後処理を必要とするプリントジョブの場合において、前記第１のプリントジョブのシートの排出先とは異なる排紙トレイに対して前記第２のプリントジョブのシートを排出する場合に、前記第２の処理手順を実行させる制御手段を有する構成を採用した。
また、前記第１の処理手順と前記第２の処理手順と前記排出手段とを有し、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中ではない場合に、前記第１の処理手順を実行させ、
前記第２のプリントジョブが後処理を不要とするプリントジョブの場合で且つ前記第１のプリントジョブは後処理を必要とするプリントジョブの場合において、前記第１のプリントジョブのシートを前記第１の排紙トレイに排出中の場合に、前記第２の処理手順を実行させる制御手段を有する構成を採用した。
また、前記第１の処理手順と前記第２の処理手順と前記排出手段とを有し、
前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できない場合に、前記第１の処理手順を実行させ、
前記第２のプリントジョブが後処理を要するプリントジョブの場合で且つ前記第１のプリントジョブは後処理を不要とするプリントジョブの場合において、前記第１のプリントジョブのシートの排出先とは異なる排紙トレイに対して前記第２のプリントジョブのシートを排出できる場合に、前記第２の処理手順を実行させる制御手段を有する構成を採用した。
また、前記第１の処理手順と前記第２の処理手順と前記排出手段とを有し、
前記第２のプリントジョブが後処理を要するプリントジョブの場合で且つ前記第１のプリントジョブは後処理を不要とするプリントジョブの場合において、前記第２のプリントジョブのシートを前記第１の排紙トレイに排出できない場合に、前記第１の処理手順を実行させ、
前記第２のプリントジョブが後処理を要するプリントジョブの場合で且つ前記第１のプリントジョブは後処理を不要とするプリントジョブの場合において、前記第１の排紙トレイがシートで満載では無く該第１の排紙トレイに前記第２のプリントジョブのシートを排出できる場合に、前記第２の処理手順を実行させる制御手段を有する構成を採用した。
また、前記第１の処理手順と第２の処理手順とを選択的に実行させる制御手段と、
前記後処理手段による後処理を行うべきプリント済みのシートを一時的に積載する処理トレイと、
機外に排出されたシートを積載する為の排紙トレイと、を有し、
前記制御手段は、
前記第１のプリントジョブおよび前記第２のプリントジョブのうちの、前記後処理手段による後処理を要するプリントジョブを処理する場合に、そのプリントジョブのプリント済みのシートを前記処理トレイに１枚づつ積載し続け、該処理トレイ上にて一部数分の複数枚のシートの積載が終了したら、該処理トレイ上の該複数枚のシートに対して一束として前記後処理手段による後処理を実行させ、そのうえで、前記処理トレイ上の該複数枚のシートを前記排紙トレイに対して一束毎に排出する、束排出動作を実行させ、
前記第１のプリントジョブおよび前記第２のプリントジョブのうちの、前記後処理手段による後処理を不要とするプリントジョブを処理する場合に、そのプリントジョブのプリント済みのシートを、前記束排出動作を行うことなく、前記排紙トレイに対して一枚毎に排出させる構成を採用した。
また、前記第１の処理手順と第２の処理手順とを有し、
前記第１のプリントジョブが前記後処理手段による後処理を要するプリントジョブの場合で且つ前記第２のプリントジョブも後処理を要するプリントジョブの場合に、前記第１の処理手順を実行させ、
前記第１のプリントジョブ及び前記第２のプリントジョブのうちの前記第２のプリントジョブが前記後処理手段による後処理を不要とするプリントジョブの場合に、前記第１のプリントジョブが前記後処理手段による後処理を必要とするプリントジョブであるか否かに関わらず、前記第２の処理手順を実行させる、制御手段を有する構成を採用した。
また、前記第１の処理手順と前記第２の処理手順と前記排出手段とを有し、
前記第１のプリントジョブが前記後処理手段による後処理を要するプリントジョブの場合で且つ前記第２のプリントジョブも後処理を要するプリントジョブの場合に、前記第１の処理手順を実行させ、
前記第１のプリントジョブ及び前記第２のプリントジョブのうちの前記第２のプリントジョブが前記後処理手段による後処理を不要とするプリントジョブの場合に、前記第１の排紙トレイのシートの積載状態に関わらず、前記第２の処理手順を実行させる、制御手段を有する構成を採用した。
また、前記第１の処理手順と前記第２の処理手順とを選択的に実行させる制御手段と、前記排出手段とを有し、
前記制御手段は、
前記第１のプリントジョブおよび前記第２のプリントジョブのうちの、前記後処理手段による後処理を要するプリントジョブを処理する場合に、そのプリントジョブのプリント済みのシートを、前記第１の排紙トレイ及び前記第２の排紙トレイのうちの前記第１の排紙トレイに排出可能に制御し、
前記第１のプリントジョブおよび前記第２のプリントジョブのうちの、前記後処理手段による後処理を不要とするプリントジョブを処理する場合に、そのプリントジョブのプリント済みのシートを、前記第１の排紙トレイ及び前記第２の排紙トレイのうちの前記第２の排紙トレイに排出可能に制御する構成を採用した。
さらに、この段落に記載した上記画像形成装置の構成に対応した画像形成装置に好適なジョブ処理方法の構成を採用した。
【手続補正６】
【補正対象書類名】明細書
【補正対象項目名】０１００
【補正方法】変更
【補正の内容】
【０１００】
また、上記構成に加えて、それぞれ排出されたカットシートを積載する第１と第２の積載手段を設け、前記後処理をカットシートに対して行った場合、第１の積載手段上にカットシートが満載でなくてカットシートの排出が可能であれば第１の積載手段、不可能であれば第２の積載手段上にカットシートを排出し、後処理を行わなかった場合はカットシートを第２の積載手段上に排出するようにし、前記第２のジョブの画像出力の要求が発生した場合、第１と第２のジョブの一方または両方が前記後処理を行うように設定されたジョブか否かとともに、第１または第２の積載手段上へのカットシートの排出状態に応じて、前記割り込み処理または後回し処理を行うようにしたので、積載手段上で第１のジョブの出力のカットシートの束の上に第２のジョブの出力束が重なったり、さらに第１のジョブの出力束中に第２のジョブの出力束が紛れ込んだりすることをできるだけ避けることができ、装置の使い勝手を向上できるという優れた効果が得られる。
又、請求項１１乃至５０記載の本発明によれば、上記効果と同様に、第１のプリントジョブと、第２のプリントジョブとを、後処理に支障が無く処理できるようにし、出力束の紛れ込みをできるだけ避けるようにすることができ、装置の使い勝手を向上できるという優れた効果が得られる。